(57)【特許請求の範囲】
【請求項１】
光源ランプを保持するランプホルダを、上記光源ランプの軸線から外れた位置にある支点部において上記光源ランプの軸線に対して垂直な一方向にのみ移動自在に且つ回転自在に支持するホルダ支持体と、
上記光源ランプの軸線に対して垂直な面上において上記支点部を間に挟んでその両側において、上記ランプホルダを上記移動可能方向と平行な方向に付勢する一対の付勢手段と、
上記付勢手段と対にして設けられて、上記付勢手段によって付勢された上記ランプホルダをその付勢力に抗するように先端で受けてその受け位置を調整自在な一対の調整ネジと
を設けたことを特徴とする内視鏡用光源装置の芯出し調整装置。
【請求項２】
上記支点部が、上記光源ランプの軸線に対して垂直に上記ランプホルダと上記ホルダ支持体の一方に形成された長孔と、その長孔に係合するように他方に突設されたピンとを有している請求項１記載の内視鏡用光源装置の芯出し調整装置。
【請求項３】
上記ホルダ支持体が、光源装置の不動部材に対して上記光源ランプの軸線と平行方向に位置を調整自在である請求項１又は２記載の内視鏡用光源装置の芯出し調整装置。
【発明の詳細な説明】
【０００１】
【産業上の利用分野】
この発明は、内視鏡の照明用ライトガイドに照明光を供給するための内視鏡用光源装置の芯出し調整装置に関する。
【０００２】
【従来の技術】
一般に、ライトガイドの入射端面の面積は非常に狭いので、光源ランプから放射された照明光を正確な位置に収束させるためには、光源ランプを光源装置内に取り付ける際に芯出し調整を行う必要がある。
【０００３】
そのような芯出し調整を行うために、以前は、光源ランプを光源ランプの軸線方向（Ｚ方向）に垂直な上下方向（Ｙ方向）と左右方向（Ｘ方向）にそれぞれ別々に調整するための、二本の調整ネジが設けられていた。
【０００４】
しかし、それでは、上下方向の調整をすると左右方向に芯ずれが生じて左右方向の調整をやり直さなければならず、左右方向の調整をすると再び上下方向に芯ずれが生じるという繰り返しとなって、調整作業が容易でなかった。
【０００５】
そこで従来は、例えば実公平１−３８８１４号に示されるように、光源ランプを保持するランプホルダを例えば左右方向にスプリングで付勢して、その付勢力に抗して螺動する調整摘みの締めつけ量を加減することによって左右方向の芯出し調整を行い、調整摘み全体を上下に移動させることによって上下方向の芯出し調整を行うようにして、一つの調整摘みにより上下左右全方向の芯出し調整ができるようにしていた。
【０００６】
【発明が解決しようとする課題】
しかし上述のような機構では、左右方向は調整摘みの螺動によって微妙な調整を行うことが可能であるが、上下方向の調整は、調整摘みを摘んだ指先自体を移動させることによって行われるので、熟練者でないと微妙な調整をするのが難しくて、正確な芯出し調整ができない場合があった。
【０００７】
そこで本発明は、簡単な作業で正確に光源ランプの芯出し調整を行うことができ、しかも機構の小型化ができる内視鏡用光源装置の芯出し調整装置を提供することを目的とする。
【０００８】
【課題を解決するための手段】
上記の目的を達成するため、本発明の内視鏡用光源装置の芯出し調整装置は、光源ランプを保持するランプホルダを、支点部において上記光源ランプの軸線に対して垂直な一方向にのみ移動自在に且つ回転自在に支持するホルダ支持体と、上記光源ランプの軸線に対して垂直な面上において上記支点部を間に挟んでその両側において、上記ランプホルダを上記移動可能方向と平行な方向に付勢する一対の付勢手段と、上記付勢手段と対にして設けられて、上記付勢手段によって付勢された上記ランプホルダをその付勢力に抗するように先端で受けてその受け位置を調整自在な一対の調整ネジとを設けたことを特徴とする。
【０００９】
なお、上記支点部が、上記光源ランプの軸線に対して垂直に上記ランプホルダと上記ホルダ支持体の一方に形成された長孔と、その長孔に係合するように他方に突設されたピンとを有していてもよい。
【００１０】
また、上記ホルダ支持体が、光源装置の不動部材に対して上記光源ランプの軸線と平行方向に位置を調整自在であるとよい。
【００１１】
【実施例】
図面を参照して実施例を説明する。
図２は本発明の実施例の斜視図、図３は側面断面図、図１は背面図である。
【００１２】
図中、１は、図示されていない光源装置の筐体に対して不動にネジ止め固定されるベースであり、そのベース１に対して前壁板２と後壁板３が平行に立てて固定され、前壁板２と後壁板３の上端側には、天板４がベース１と平行に形成されている。
【００１３】
５は、キセノンランプを用いた光源ランプであり、その軸線６をベース１に対して平行に向けて、ベース１と前壁板２と後壁板３と天板４とで囲まれる空間の中央付近に配置されている。
【００１４】
反射鏡７は、光源ランプ５の発光部８を内部に囲み込むように配置されていて、その前端開口部が、前壁板２に大きく穿設された正面孔９部分に接合固着されている。
【００１５】
反射鏡７によって反射された照明光は、図示されていない内視鏡の照明用ライトガイドの入射端面に収束するようになっているが、その正確な位置合わせ（芯出し調整）は、後述するように、光源ランプ５を微動させることによって行われる。
【００１６】
１１は、ベース１の上面側に形成された溝１２に沿って光源ランプ５の軸線６（以下、単に「軸線６」と言う）と平行方向（Ｚ方向）にのみ移動自在に配置されたホルダ支持体である。
【００１７】
ホルダ支持体１１は側面から見るとＬ字状に形成されていて、軸線６に対して垂直な方の面に、光源ランプ５を保持するランプホルダ１０が連結されている。また、ホルダ支持体１１の底面に下方から螺合する調整固定摘み１３が、ベース１に穿設された孔１４内に充分な隙間をあけて通されている。
【００１８】
したがって、調整固定摘み１３を緩めた状態でホルダ支持体１１を溝１２に沿って移動させることにより、光源ランプ５を軸線６方向に移動させてＺ方向の芯出し調整を行うことができる。そして、そのまま調整固定摘み１３を締めつけることによって、ホルダ支持体１１がベース１に固定される。１５はスプリングワッシャ及び板バネである。
【００１９】
ランプホルダ１０は、軸線６と垂直であってホルダ支持体１１の垂直面に連結される平面部１０ａと、光源ランプ５の一方の電極を保持する筒状部１０ｂとが、導電性の材料によって一体的に形成されたものである。
【００２０】
ランプホルダ１０の筒状部１０ｂに嵌め込まれた光源ランプ５の電極からは、後方に向けて雄ネジが突出していて、その雄ネジに外側からナット１７が締めつけられており、それによって、光源ランプ５がランプホルダ１０に固定されている。
【００２１】
給電線を接続するための給電線コネクタ１８，１９は天板４に設けられていて、光源ランプ５の先端側の電極に接続されたリード線２１が、一方の給電線コネクタ１８に接続されている。
【００２２】
また、固定ネジ２２によってランプホルダ１０に接続されたリード線２３が、もう一方の給電線コネクタ１９に接続されている。後壁板３には、雄ネジ１６や固定ネジ２２が後方に顔を出すように、窓２０が穿設されている。
【００２３】
軸線６から離れた位置で軸線６と平行な方向にランプホルダ１０の平面部１０ａにねじ込み固定されたピン２５は、軸線６に対して垂直にホルダ支持体１１の垂直面に穿設された長孔２６内に通されている。
【００２４】
長孔２６は、図４にも示されるように、幅はピン２５の直径に対して僅かなガタしかなく、長さはピン２５に対して充分に隙間があくように大きく形成されている。ドライバ類を係合させるための溝が形成されたピン２５の頭部２５ａは、ホルダ支持体１１を押さえつけないように形成されている。
【００２５】
したがってこの部分（支点部）においては、ランプホルダ１０は、ホルダ支持体１１に対してピン２５の軸線２４を中心に回転することができ、また光源ランプ５の軸線６と垂直な上下方向（Ｙ方向）に移動することができるが、左右方向（Ｘ方向）には移動することができない。
【００２６】
光源ランプ５の軸線６とピン２５の中心とを結ぶ直線のピン２５側の延長線上には、ピン２５から光源ランプ５の軸線６までの距離とほぼ同じ距離の位置に、固定摘み２８が配置されていて、その固定摘み２８の先端の締めつけネジ部２８ａがランプホルダ１０に螺合している。
【００２７】
固定摘み２８の手元側摘み部は太く長く形成されていて、後壁板３の下部に穿設された窓３０から後方に突出しており、固定摘み２８の摘み部の頭部には、ドライバ類を係合させるための溝が形成されている。３１は、スプリングワッシャ及び板バネである。
【００２８】
ホルダ支持体１１には、固定摘み２８を通すための丸孔２９が穿設されていて、図４にも示されるように、固定摘み２８のその部分の直径と丸孔２９の内径との間には充分な隙間がとられている。
【００２９】
したがって、固定摘み２８を緩めておけば、丸孔２９の内側の範囲において固定摘み２８を自由に移動させることができ、固定摘み２８を締めつければ、ランプホルダ１０がホルダ支持体１１に対して固定される。
【００３０】
ピン２５（支点部）を間に挟んで、その左右両側に位置するランプホルダ１０の両側面部とホルダ支持体１１の両側面部との間には、一対の引っ張りコイルスプリング３３，３４の端部が掛けわたされており、両コイルスプリング３３，３４共に、ランプホルダ１０を下方向に向けて付勢している。
【００３１】
また、ホルダ支持体１１に対してＹ方向に螺合する一対の調整ネジ３５，３６が、ピン２５を間に挟んでその左右両側の位置に、両コイルスプリング３３，３４と対になるように取りつけられている。
【００３２】
この調整ネジ３５，３６は、共に底面側から上向きにホルダ支持体１１に螺合していて、その先端部分が各々ランプホルダ１０に当接しており、コイルスプリング３３，３４で下方に付勢されたランプホルダ１０が、両調整ネジ３５，３６の先端によって付勢力に抗して受けられている。
【００３３】
したがって、ドライバで左右の調整ネジ３５，３６を締め込みあるいは緩めることによって、調整ネジ３５，３６の先端位置が上下に微動してランプホルダ１０が上下（Ｙ方向）に移動し、光源ランプ５の軸線６のＹ方向の芯出し調整が行われる。
【００３４】
そして、左右の調整ネジ３５，３６の移動量を相違させることによって、調整ネジ３５，３６の先端位置の変位が左右で相違するので、ランプホルダ１０がピン２５を中心に回転して傾き、その結果、光源ランプ５の軸線６が左右方向に移動してＸ方向の芯出し調整が行われる。
【００３５】
このようにして、回転操作にしたがって軸方向に微動する調整ネジ３５，３６によってＸ−Ｙ両方向の芯出し調整をした後、固定摘み２８を後方から締めつければ、ランプホルダ１０がホルダ支持体１１に固定された状態になる。
【００３６】
このようにして、Ｘ，Ｙ，Ｚ全方向の調整を、同方向に配置された調整固定摘み１３と調整ネジ３５，３６によって行うことができるので、光源装置に組み付けた後で芯出し調整を容易に行うことができ、調整を行う際に、光源装置に対して取り付けと取り外しを繰り返す必要がない。
【００３７】
なお、光源ランプ５を交換する必要がある場合には、ベース１を光源装置に取り付けているネジ（図示せず）を緩めることによって、図２に示されている装置全体を一つのユニットとして取り外し、そのユニット単体に対して光源ランプ５の脱着を行えばよい。
【００３８】
【発明の効果】
本発明によれば、支点部を挟んでその両側に設けられた一対の付勢手段によって付勢されたランプホルダを、一対の調整ネジの先端で受けてその受け位置を調整できるようにしたことにより、回転操作によって軸方向に微動する調整ネジでＸ−Ｙ両方向の芯出し調整が行われるので、簡単な調整作業で正確に光源ランプの芯出し調整を行うことができ、しかも機構を小型化することができる。
【図面の簡単な説明】
【図１】実施例の背面図である。
【図２】実施例の斜視図である。
【図３】実施例の側面断面図である。
【図４】実施例のベースの背面断面図である。
【符号の説明】
５  光源ランプ
６  軸線
１０  ランプホルダ
１１  ホルダ支持体
２５  ピン（支点部）
３３，３４  引っ張りコイルスプリング
３５，３６  調整ネジ
【図１】
0003771605.tif 000002
【図２】
0003771605.tif 000003
【図３】
0003771605.tif 000004
【図４】
0003771605.tif 000005